(57)【要約】【課題】多様な摺洗対象物に対して高い摺洗力を発揮できる摺洗具を提供する。【解決手段】  摺洗具(1)は、透水性シート(11)(12)からなる袋体(10)の内部に、多孔質素材からなる多数のチップ(20)(21)が詰められていることを特徴とする。【選択図】    図１
2007021047.tif 000002
【特許請求の範囲】
【請求項１】
透水性シートからなる袋体の内部に、多孔質素材からなる多数のチップが詰められていることを特徴とする摺洗具。
【請求項２】
前記袋体は、複数の異種素材の接ぎ合わせにより形成されている請求項１に記載の摺洗具。
【請求項３】
前記袋体は、複数の紡錘形シートの接ぎ合わせにより球形または楕円球形に形成されている請求項１または２に記載の摺洗具。
【請求項４】
前記チップを構成する多孔質素材は、発泡樹脂、繊維を絡めて塊状に形成された繊維塊のうちの少なくとも１種である請求項１〜３のいずれか１項に記載の摺洗具。
【発明の詳細な説明】
【技術分野】
【０００１】
この発明は、摺洗具、例えば調理器具、食器、浴室等の洗浄に用いる摺洗具に関する。
【背景技術】
【０００２】
上記摺洗具としては、ウレタンフォームやナイロン不織布等の摺洗素材を直方体に成形したもの、あるいはこれらの直方体の摺洗素材を袋状ネットに入れたものが用いられている（非特許文献１参照）。
【０００３】
上記摺洗具は、手で握り持ち、摺洗対象物の形状に沿わせるように変形させて摺り付ける。例えば、鍋底を摺洗する場合は直方体の広い面が鍋底に接するように握り、コップの口縁を摺洗する場合は摺洗具で口縁を挟むようにして折り曲げる。
【非特許文献１】クリーナー、〔２００５年７月６日検索〕、インターネット〈ＵＲＬ：http://www.aisen.co.jp/shouhin/main.htm
【発明の開示】
【発明が解決しようとする課題】
【０００４】
しかしながら、直方体の摺洗具は十分に変形させることができず、摺洗対象物の形状によっては的確に洗浄することができないことがあった。また、摺洗具をしっかり握って被摺洗対象物に摺り付けなければ高い摺洗力が得られないが、直方体の摺洗具は握り難いものであった。これらの点で、従来の直方体の摺洗具は使い勝手が悪いものであった。
【課題を解決するための手段】
【０００５】
この発明は、上述した現状に鑑み、多様な摺洗対象物に対して高い摺洗力を発揮できる摺洗具の提供を目的とする。
【０００６】
即ち、本発明の摺洗具は下記〔１〕〜〔４〕に記載の構成を有する。
【０００７】
〔１〕  透水性シートからなる袋体の内部に、多孔質素材からなる多数のチップが詰められていることを特徴とする摺洗具。
【０００８】
〔２〕  前記袋体は複数の異種素材の接ぎ合わせにより形成されている請求項１に記載の摺洗具。
【０００９】
〔３〕  前記袋体は複数の紡錘形シートの接ぎ合わせにより球形または楕円球形に形成されている請求項１または２に記載の摺洗具。
【００１０】
〔４〕  前記チップを構成する多孔質素材は、発泡樹脂、繊維を絡めて塊状に形成された繊維塊のうちの少なくとも１種である請求項１〜３のいずれか１項に記載の摺洗具。
【発明の効果】
【００１１】
〔１〕の発明にかかる摺洗具は、チップ自身の変形と袋体内でのチップの移動によって自在に変形するため、握りやすく多様な摺洗対象物に対して適切な摺洗をすることができる。
【００１２】
〔２〕の発明にかかる摺洗具によれば、それぞれの素材に対応する複数の摺洗効果を得ることができる。
【００１３】
〔３〕の発明にかかる摺洗具によれば、どの部分を握っても摺洗することができるため、使い勝手が良い。
【００１４】
〔４〕の発明にかかる摺洗具によれば、優れた変形自在性と摺洗力に加えて、耐久性を高めることができる。
【発明を実施するための最良の形態】
【００１５】
図１〜図４に、本発明の摺洗具の一実施形態を示す。
【００１６】
摺洗具(1)は、透水性シートの袋体(10)の内部に多孔質素材からなる多数のチップ(20)(21)を詰めたものである。また、(14)は吊下げ用のループである。
【００１７】
前記摺洗具(1)は、袋体(10)内に小さなチップ(20)(21)を詰めたものであるから、持ち方や押し付け方を変えれば、チップ(20)(21)自身の変形と袋体内の移動によって自在に変形する。その変形量は、従来の直方体の摺洗具よりも大きく、多様な摺洗対象物に対して適切な摺洗をすることができる。
【００１８】
袋体(10)は、紡錘形に裁断した２枚のネット(11)と２枚の不織布(12)の合計４枚の透水性シートを交互に接ぎ合わせて、立体的な楕円球形に形成されている。
【００１９】
前記透水性シートは、上記ネット(11)および不織布(12)に限定されず、透水性のある素材であれば任意のものを用いることができる。その他の素材として、メッシュ、織り地、編み地等を例示できる。また、複数枚の透水性シートを接ぎ合わせる場合は、同一素材でも異種素材を組み合わせることも任意である。異種素材を組み合わせることによって、１つの摺洗具において、それぞれの素材に対応する複数の摺洗効果を得ることができる。図示例の袋体(10)においては、比較的柔軟なネット(11)で食器を摺洗し、こそげ落とし効果の高い不織布(12)で食器にこびりついた食べ残しやフライパンの焦げ付きを摺洗する、といった摺洗対象物に合った洗浄を行える。また、接ぎ合わせ線(13)の近傍では２枚のシートの合わせ代が重なって硬くなっているため、こそげ落とし効果が高められる。
【００２０】
前記袋体(10)の形状は限定されず、球形、楕円球形、直方体等の任意形状とすることができる。好ましい形状は上記実施形態の楕円球形または球形のような、角張りのない形状である。楕円球形または球形の袋体は、紡錘形、即ち両端部の幅が小さく中央部の幅が大きい形状に裁断したシートを３枚以上用い、隣接するシートの側縁を接ぎ合わせることによって容易に製作することができる。上記実施形態の袋体(10)は４枚の紡錘形シート（３枚のみ図示）を接ぎ合わせたものである。このような楕円球形または球形の袋体は、どの部分を握っても摺洗することができるため、使い勝手が良い。例えば図２および図３に示すように、接ぎ合わせ線(13)を上下方向とし、上半部を握って下半部を摺洗対象物（Ｓ１）に押し付ければ、摺洗対象物（Ｓ１）との接触面積が拡大し、広い面積で摺洗することができる。このように摺洗具(1)を握れば、指先や爪が摺洗対象物（Ｓ１）に触れるおそれがない。例えば鍋の底と胴部との隅のような箇所においても指先や爪が摺洗対象物（Ｓ１）に触れないように摺洗することができる。従来の直方体の摺洗具であればこのような握り方ができず鷲づかみとなるため、指先や爪が摺洗対象物（Ｓ１）に触れないように摺洗することは困難である。また、前記摺洗具(1)では、接触面において接ぎ合わせ線(13)が放射状に拡がっているため、高い摺洗効果を奏することができる。また図４に示すように、摺洗具(1)は容易に二つ折りにすることができ、コップ（Ｓ２）の口部の内面と外面を同時に摺洗する場合にも適している。
【００２１】
前記袋体(10)の大きさは、食器洗浄用、浴室洗浄用等の用途に合わせて適宜設定すれば良い。袋体(10)は、体積が２５０〜７００ｃｍ3程度のものが使い勝手が良い。
【００２２】
チップは、ウレタンフォームをサイコロ状に切断したスポンジチップ(20)と、厚地の不織布を円柱形に打ち抜いた不織布チップ(21)の２種類のチップが混合されている。
【００２３】
前記チップは、多孔質素材であれば任意のものを用いることができ、特に保水性が良く、かつ水切れの良いものが好ましい。また、握りや摺洗対象物への押し付けによって、自在に変形する弾性を有するものが好ましい。具体的には発泡樹脂、不織布のような繊維を絡み合わせて塊状にした繊維塊、ヘチマ等を例示できる。前記チップの形状は限定されないが、保水性を確保する上で薄いシート状チップよりも厚みのあるものが好ましく、球形、立方体、直方体、円柱体等の厚みのあるものが好ましい。これらのチップは、大サイズの材料を所要形状に切断して製作されるが、立方体や直方体等の角形であれば裁断くずが生じないため、材料に無駄が出ない。チップの大きさも限定されないが、見かけ体積が３０〜８０ｍｍ3が好ましい。
【００２４】
また、上記実施形態のように、発泡樹脂チップ（スポンジチップ(20)）と繊維塊チップ（不織布チップ(21)）とを混合することも好ましい。発泡樹脂チップは柔軟で変形自在性が高く、保水力も高い。一方、繊維塊チップは発泡樹脂に比べると硬く変形自在性は低いがへたり難い。これらの特性の異なるチップを混合使用することによって、優れた変形自在性と摺洗力に加えて、耐久性を高めることができる。発泡樹脂チップと繊維塊チップの好ましい比率（発泡樹脂：繊維塊）は体積比で７：３〜３：７である。特に好ましい比率は６：４〜４：６である。
【００２５】
また、袋体中のチップ量は限定されないものの、少なすぎると摺洗力が不足し、多すぎると変形自在性が悪くなる。このため、チップの総見かけ体積は袋体体積の５０〜８０％が好ましい。
【産業上の利用可能性】
【００２６】
本発明の摺洗具は変形自在であるから、多様な摺洗対象物に適用できる。
【図面の簡単な説明】
【００２７】
【図１】本発明の摺洗具の一実施形態を示す全体斜視図である。
【図２】図１の摺洗具の使用方法を示す斜視図である。
【図３】図１の摺洗具の他の使用方法を示す斜視図である。
【図４】図１の摺洗具のさらに他の使用方法を示す斜視図である。
【符号の説明】
【００２８】
１…摺洗具
10…袋体
11…ネット（透水性シート）
12…不織布（透水性シート）
20…スポンジチップ（発泡樹脂チップ、多孔質素材からなるチップ）
21…不織布チップ（繊維塊チップ、多孔質素材からなるチップ）
【図１】
2007021047.tif 000003
【図２】
2007021047.tif 000004
【図３】
2007021047.tif 000005
【図４】
2007021047.tif 000006